(57)【要約】【課題】通常の作業行動中に着用者が動きやすいようにする低価格の使い捨て式防護衣が必要とされている。【解決手段】背面上に或る角度をなすエラストマーパネルを有する使い捨て式防護服衣服が提供される。防護カバーオールなどの衣服には、腰背部から上向きに脇下部に向かってかつ袖部に沿って延在するようなＶ字形状のエラストマーパネルが含まれる。そのようなエラストマーパネルにより、着用者は、そのような衣服を着用するときに、より大きな動きが可能になる。【選択図】図２
2010525181.tif 000002
【特許請求の範囲】
【請求項１】
バリア性布地から形成される使い捨て式防護衣であって、
正面、背面及び上部部分を含み、首開口部を有する本体部分と、
前記本体部分から延出する右脚部及び左脚部と、
前記上部部分から延出する右袖部及び左袖部と、
少なくとも１つのエラストマーストリップとを含み、
前記右袖部及び左袖部が共に上縁及び下側を含み、
前記左袖部の前記下側が前記上部部分と接する部分に左脇下部が形成され、前記右袖部の前記下側が前記上部部分と接する部分に右脇下部が形成され、
前記右袖部及び左脚部が前記本体部分と接する部分に股部が形成され、
前記少なくとも１つのエラストマーストリップが、前記本体部分の前記背面上に構成され、かつ前記上部部分を前記両脚部に接合するように適合され、
前記少なくとも１つのエラストマーストリップが、Ｖ字形部を形成するように構成され、前記Ｖ字形部が、腰背部の一点に位置する先端部と、前記先端部から前記右脇下部に向かって延在する第１の延在部と、前記先端部から前記左脇下部に向かって延在する第２の延在部とを含むことを特徴とする衣服。
【請求項２】
前記第１の延在部が、前記右脇下部まで、前記右袖部の前記下側に沿って延在し、前記第２の延在部が、前記左脇下部まで、前記左袖部の前記下側に沿って延在することを特徴とする請求項１の衣服。
【請求項３】
前記第１の延在部が、前記右袖部の前記背面に沿って延在し、前記第２の延在部が、前記左袖部の前記背面に沿って延在することを特徴とする請求項１の衣服。
【請求項４】
前記第１の延在部が、前記右袖部の前記上縁に沿って延在し、前記第２の延在部が、前記左袖部の前記上縁に沿って延在することを特徴とする請求項１の衣服。
【請求項５】
前記第１の延在部が、前記右袖部の前記下側に沿って右手首まで延在し、前記第２の延在部が、前記左袖部の前記下側に沿って前記左手首まで延在することを特徴とする請求項１ないし４のいずれかの衣服。
【請求項６】
前記衣服が、平置きの状態のとき、第１の延在部と第２の延在部の間に形成される角度が、８３°ないし１５５°、好適には９０°ないし１５０°、好適には９５°ないし１３０°であることを特徴とする請求項１ないし５のいずれかの衣服。
【請求項７】
前記少なくとも１つのエラストマーストリップが、エラストマー材料の連続ストリップであり、前記ストリップを横断する縫目がないことを特徴とする請求項１ないし６のいずれかの衣服。
【請求項８】
前記少なくとも１つのエラストマーストリップが、一方向伸縮性布地を有するエラストマー材料を含むことを特徴とする請求項１ないし７のいずれかの衣服。
【請求項９】
前記一方向伸縮性布地が、前記首開口部から前記股部への線に沿って概ね延在する方向と平行に整合されていることを特徴とする請求項８の衣服。
【請求項１０】
前記一方向伸縮性布地が、前記少なくとも１つのエラストマーストリップが前記衣服内で方向付けされているような方向と平行に整合されていることを特徴とする請求項８の衣服。
【請求項１１】
前記少なくとも１つのエラストマーストリップが、多方向伸縮性布地を有するエラストマー材料を含むことを特徴とする請求項１ないし７のいずれかの衣服。
【請求項１２】
前記少なくとも１つのエラストマーストリップが、第１のエラストマーストリップ及び第２のエラストマーストリップを含むことを特徴とする請求項１ないし１１のいずれかの衣服。
【請求項１３】
前記背面の前記腰背部の一点上に構成されたエラストマーパネルをさらに含み、
第１のエラストマーストリップが、前記エラストマーパネルから上向きに前記左脇下部まで、かつ前記左脇下部から前記左袖部の前記下側に沿って延在するように構成され、前記第１のエラストマーストリップを横断する縫目がなく、
前記第２のエラストマーストリップが、上向きに前記エラストマーパネルから前記右脇下部まで、かつ前記右脇下部から前記右袖部の前記下側に沿って延在し、前記第２のエラストマーストリップを横断する縫目がないことを特徴とする請求項１２の衣服。
【請求項１４】
前記エラストマーパネルが、一方向伸縮性布地を含むエラストマー材料を含み、前記のエラストマーパネルの前記一方向伸縮性布地が、前記少なくとも１つのエラストマーストリップと同じ伸縮方向に沿って方向付けされていることを特徴とする請求項１３の衣服。
【請求項１５】
前記エラストマーパネルが、一方向伸縮性布地を含むエラストマー材料を含み、前記エラストマーパネルの前記一方向伸縮性布地が、前記少なくとも１つのエラストマーストリップの前記伸縮方向の向きと異なる方向に沿って方向付けされていることを特徴とする請求項１３の衣服。
【請求項１６】
前記エラストマーパネルが、多方向伸縮性エラストマー材料を含むことを特徴とする請求項１３の衣服。
【請求項１７】
前記少なくとも１つのエラストマーストリップが、５０．８ミリメートルないし１５２．４ミリメートル幅であり、２５％ないし４００％の弾性伸びを有し、好適には５０．８ミリメートルないし１０１．６ミリメートル幅であることを特徴とする請求項１ないし１６のいずれかの衣服。
【発明の詳細な説明】
【技術分野】
【０００１】
本発明は、或る角度をなす伸縮性パネルを備えた防護服に関する。
【背景技術】
【０００２】
限られた回数だけ使用するための、または使い捨て式の、バリア特性を提供するようにデザインされた防護服には、多くのタイプのものがある。防護服の１つのタイプが防護カバーオールである。カバーオールを用いることにより、例えば、ドレープ、ガウンなどの開き部分があるかまたは袖無し外套スタイルであるような衣服では実現不可能な方法で、着用者が有害な環境に曝されないようにする効果的な密閉構造を提供することができる。それゆえに、カバーオールには、着用者の隔離が望まれる用途が多くある。防護服は、内側（インナー）の服をクリーンに保ち、汚れや他の残留物を着用者の肌に触れさせないようにする。様々な理由で、有害液体及び／または液体によって運ばれ得る病原体が防護服を通過することは望ましくない。作業場や事故現場に存在し得る粉塵、粉末及び他の微粒子から着用者を守るために防護服を用いることも非常に望ましい。逆に、クリーンルーム環境において、防護服は、防護服がなければ着用者がその環境中に持ち込んでいるであろう粉塵及び破片からクリーンルーム環境を守る。
【０００３】
一般に、労働者は通常、労働者のそれぞれの産業の要求または規格に応じて、１日１回、または１日おきにカバーオールを着替える。場合によっては、労働者はさらに頻繁に防護服を着替えることもある。使用後、有害物質に曝された防護服の汚染物質を除去することはかなりコストがかさむ場合がある。それゆえ、防護服が使い捨てできるように低価格であることは重要である。一般的に、防護カバーオールは、液体及び／または微粒子を比較的通さないように処理されたバリア性材料／布地から作られる。そのような材料のコストの他にカバーオールのデザイン及び製作もまた、コストに影響する重要な因子である。これらの因子は全て、必要であればたった１回の使用の後でもカバーオールを捨てることが経済的であり得るような低コストでカバーオールなどの防護服を製造するのに適したものであることが望ましい。
【０００４】
有害な環境に曝される危険性を減らすためには、防護服を正しく着用しなければならない。防護服が快適であれば、労働者は防護服をきちんと着用しやすい傾向にある。残念ながら、様々な産業環境または医療環境で用いられる典型的な使い捨て式防護服は、多くの場合、着用者の身体の全ての部分にうまくフィットしている訳ではない。そのような使い捨て式の防護服を作るためによく用いられる材料は、伸縮性や柔軟性がない。動作に必要な空間を提供するために、現行のカバーオールのデザインは腰及び胴体領域を他より大きくする傾向にある。この余分な材料からは、ダブつきがあり、かさばり、かつ着心地の悪い衣服が作られ、それは着用者が作業を行う際に妨げになる場合がある。一部の着用者は、テープを用いて余分な材料を集め、それをさらに体に近づけている。そのような労働者による衣服の変更には時間が掛かり、結果的に得られる衣服は、だらしなく見え、デザインが着用者に全く合っていない。さらに、余分な材料は、ひだ、しわ、または他の材料形状を形成することがあり、それらは、フィット性の悪さの一因となり得、機械類に巻き込まれたり障害物に引き裂かれたりし得るので危険である。
【０００５】
労働者が（そのデザインによるものであれ、労働者による変更のおかげであれ）体にフィットした衣服を着用しているときでさえ、日常的な作業を行うときに衣服の着心地が悪いことがある。労働者は、手を伸ばすか、腰を曲げるか、あるいは衣服の材料が応力を加えられることになるような他の動作を行わなければならないことが多い。衣服の材料におけるそのような応力は労働者の動きを制限することになるか、あるいは、その限界まで応力が強くかけられたら、材料が裂けるかもしれないかのいずれかである。労働者の動きに対するそのような制限は、労働者の快適性に影響し、生産性を直接低下させる。衣服の材料が破損するまで応力を加えられれば、多くの場合、衣服を交換しなければならないことになり、それは生産性の低下、全体コストの増加の一因となり、労働者を有害な環境に曝し得るので危険である。
【０００６】
そのようなあってはならない応力を低下（緩和）しようと試みるためのよくある方法は、あってはならない応力が加えられたときに布地が伸長するように、エラストマー材料または回復可能な伸縮性のある材料から衣服を製作することである。そのような目的のために様々なエラストマー不織布材料及び布地が入手可能であり、その中には、エラストマーフィルム及び不織ウェブの積層体が含まれる。しかし、エラストマー材料の衣服全体またはパネル部分全体を製造する難点は、そのような材料がかなり高価になり、それゆえに製品の総コストを増大させることである。複数の不連続の応力点にエラストマーパネルを利用する解決策は、衣服デザインの複雑さを増し、その結果、そのような衣服に付随するコストを増大させる。
【０００７】
定義
【０００８】
本明細書中では、「不織布ベースの材料」または「不織ウェブ」なる語は、層間に挿入されている（しかし識別可能な繰り返し方法ではない）複数の個別の繊維またはフィラメント（長繊維）の構造を有するような材料またはウェブを指す。不織ウェブは、従来、例えばメルトブロー法、スパンボンド法、ボンディング・カーディング（bonded carded）ウェブ法などの当業者に既知の様々な方法によって形成されていた。
【０００９】
本明細書中では、「スパンボンドウェブ」なる語は、フィラメント及び／または小径繊維のウェブであって、溶融熱可塑性材料を、紡糸口金の複数の細くて通常は円形である穴（毛管）から、フィラメントとして押し出し（穴は押し出されるフィラメントの径を有する）、その後、例えば非抽出（non-eductive）または抽出の流動体延伸機構あるいは他の公知のスパンボンド機構によって急速に糸状にされることによって形成されるようなウェブを指す。スパンボンド不織ウェブの生成は、特許文献１ないし特許文献９などの特許に説明されている。
【００１０】
本明細書中では、「メルトブローン繊維」なる語は、繊維であって、溶融熱可塑性材料を、複数の細くて通常は円形であるダイ穴から、溶融糸またはフィラメントとして高速ガス（例えば空気）流中へ押し出し、溶融熱可塑性材料のフィラメントの径を細くする（極細繊維径まで細くすることもある）ことによって形成された繊維を意味する。その後、メルトブローン繊維は、高速ガス流によって運ばれ、捕集面上に堆積されてランダムに分配されたメルトブローン繊維のウェブを形成する。メルトブローン法は公知であり、非特許文献１、非特許文献２、特許文献１０を含む様々な特許及び出版物に記載されている。
【００１１】
本明細書中では、「極細繊維（マイクロファイバー）」なる語は、約１００ミクロン以上の平均径を有しないような、例えば約０．５ミクロンないし約５０ミクロンの径を有する小径の繊維を意味し、さらに具体的に言うと、極細繊維は、約１ミクロンないし約２０ミクロンの平均径を有し得る。約３ミクロン以下の平均径を有する極細繊維は、通常、超極細繊維（ウルトラファインマイクロファイバー）と呼ばれる。超極細繊維を製造する例示的な方法の説明は、例えば特許文献１１に見られるであろう。
【００１２】
本明細書中では、「シート」及び「シート材料」なる語は、同じ意味で用いられるものとし、修飾語がない場合、フィルム、不織ウェブ、織物または編物であり得る材料を指す。
【００１３】
本明細書中では、「マシン方向」（以下、「ＭＤ」と呼ぶ。）なる語は、材料ウェブの平面的な特徴を指し、それは処理中にその前進方向と平行な材料の方向にある。「クロスマシン方向」（以下、「ＣＤ」と呼ぶ。）なる語は、材料の平面的な特徴を指し、それはマシン方向と概ね垂直な方向にある。
【００１４】
本明細書中では、「耐液性」なる語は、以下の（１）、（２）を除いて標準水圧試験法ＡＡＴＣＣＴＭ Ｎｏ．１９９８に従い判定された少なくとも約２５センチメートルの水圧ヘッドを有する材料を指す。ＡＡＴＣＣ試験と異なる点は、（１）試験片は、通常より大きく、試験片のクロスマシン方向両端部上へクランプする引張試験機（stretching frame）に取り付けられているので、試験片は、様々な引き伸ばし条件（例えば１０％、２０％、３０％、４０％の引き伸ばし）下で試験され得る点と、（２）水柱の重みで試験片が撓まないようにワイヤメッシュによって試験片が下に支持される点である。
【００１５】
本明細書中では、「通気性」なる語は、少なくとも約８ｍ３／ｍｉｎ／ｍ２（約２５ｃｆｍ／ｆｔ２（立方フィート／分／平方フィート））のフラジール通気量（Frazier porosity）を有する材料を指す。例えば、通気性材料のフラジール通気量は、約８ないし１４０ｍ３／ｍｉｎ／ｍ２（約２５ないし４５ｃｆｍ／ｆｔ２）以上であり得る。フラジール精密機械会社（Frazier Precision Instrument Company）から購入できるフラジール形通気度試験機（Frazier Air Permeability Tester）を利用してフラジール通気量を決定する。フラジール通気量の測定は、試験片サイズが１７８ｃｍ×１７８ｃｍ（７''×７''）の代わりに２０３．２ｃｍ×２０３．２ｃｍ（８''×８''）である以外は、米国連邦政府試験法（Federal Test Method）５４５０，規格Ｎｏ．１９１Ａに従って行う。
【００１６】
本明細書中では、「粒子抵抗性」なる語は、微粒子の浸透に対する抵抗が有用なレベルである布地を指す。微粒子の浸透への抵抗は、乾燥粒子のエアフィルタ捕集性能（retention）を決定することによって測定され得、粒子抵抗効率（particle holdout efficiency）として表されることができる。具体的に言えば、粒子抵抗効率は、一定のサイズ範囲の粒子が材料を通過しないようにする材料の効率を指す。粒子抵抗効率は、例えばミシガン州グラスレイクのインターベーシック・リソース社（InterBasic Resources, Inc.）によって行われるＩＢＲ試験法Ｎｏ．Ｅ−２１７，リビジョンＧ（１９９１年１月１５日改訂）などの試験を利用してエアフィルタによる乾燥粒子の捕集性能を決定することによって測定され得る。一般的に、バリア性材料／布地に対して高い粒子抵抗効率が望ましい。望ましくは、粒子抵抗性材料は、約０．１ミクロンより大きな径を有する粒子に対して少なくとも約４０％の粒子抵抗効率を有していなければならない。カタログに述べられていることを実証するためにＬＭＳ Ｌａｂが用いられる。アパレルカタログは、快適性能に関連する方法としてＡＳＴＭ Ｄ７３７（通気度試験規格）及びＡＳＴＭ Ｅ９６（水蒸気透過率試験規格）に言及している。
【００１７】
本明細書中では、「エラストマー（の）」なる語は、引っ張る力を加えていないときの長さの少なくとも２５％引き伸ばされるかまたは伸長されることができ、加えられた力を解放すると伸びの少なくとも１０％を回復することになるような材料または複合材料を指す。一般的には、エラストマー材料または複合材料が少なくとも１００％伸長されることができかつ伸びの少なくとも５０％を回復することが好ましい。エラストマー材料はこのように伸縮可能であり、「伸縮可能（な）」、「エラストマー（の）」及び「伸張性（の）」は同じ意味で用いられ得る。
【００１８】
本明細書中では、「弾性（的）」または「伸縮性のある」なる語は、材料または複合材料の特性であって、その特性のおかげで、材料または複合材料が、変形を生じさせる力を取り除いた後に元のサイズ及び形状に戻りやすいものを意味する。
【００１９】
本明細書中では、「ネッキングボンディング（necked-bonded）」積層体なる語は、非弾性部材がマシン方向に引き伸ばされ、横またはクロス方向に弾性的であるようなネッキングされた材料が作られている間に、その非弾性部材に接着されるような弾性部材を有する複合材料を指す。ネッキングボンディング積層体の例は、特許文献１２ないし特許文献１５に開示されている。
【００２０】
本明細書中では、「ストレッチボンディング（stretch-bonded）」積層体なる語は、１層がギャザー寄せ可能な層であり別の１層が弾性層であるような少なくとも２つの層を有する複合材料を指す。層から力を除いたときにギャザー寄せ可能な層にギャザーが入るように、弾性層が引き伸ばされた状態にあるときに、層同士が接合される。例えば、１つの弾性部材を、引っ張る力を加えていないときの長さの少なくとも約２５％引き伸ばしている間に、別の部材に接着することができる。そのような多層複合弾性材料は、非弾性層が完全に引き伸ばされるまで伸長され得る。ストレッチボンディング積層体の例は、例えば、特許文献１６、特許文献１７、特許文献１８、特許文献１９、特許文献２０に開示されている。
【００２１】
本明細書中では、「使い捨て」なる語は、１回使い切りの物品に限定されるものではなく、消費者にとって比較的低価格であるので汚損または別の方法でたった１回または２〜３回の使用の後で使用できなくなった場合に廃棄することができるような物品も指す。
【００２２】
本明細書中では、「衣（衣服）」なる語は、例えば、限定されるものではないが、サージカルガウン、患者用ドレープ、作業服、カバーオール、ジャンパー、エプロンなどを含む防護衣及び／またはシールド（保護物）を指す。
【００２３】
本明細書中では、「カバーオール」なる語は、他の衣料品の上から着用することができ、着用者の身体のかなりの面積、典型的には着用者の首領域から胴体を越えて手首や足首などの四肢端（ときには手足を含むこともある）までを防護するような、比較的ゆったりした上下続きの防護衣を指す。一部の実施形態では、衣服には、フードなどの付加的な頭の覆い、または一体化した手袋及び靴下、ブーツまたは他の履物が含まれることがある。
【００２４】
本明細書中では、「ポリマー」なる語は、一般的に、限定されるものではないが、ホモポリマー、コポリマー（例えばブロックコポリマー、グラフトコポリマー、ランダムコポリマー、交互コポリマーなど）、ターポリマー、その他と、それらの混合及び修飾を含む。さらに、他に明確に限定されていなければ、「ポリマー」なる語は、材料の全ての可能な幾何学形状を含むものとする。これらの形状は、限定されるものではないが、アイソタクチック、シンジオタクチック及びランダム対称を含む。
【００２５】
本明細書中では、「実質的に〜から構成される」なる語は、所与の組成物または製品の所望の特性に実質的に影響しないような追加的な材料の存在を除外しない。この種の例示的な材料は、限定されるものではないが、色素、酸化防止剤、安定剤、界面活性剤、ワックス、フロー促進剤、微粒子、あるいは、組成物を処理する能力を高めるために加えられる材料を含むものとする。
【００２６】
本明細書中では、「結合」なる語は、限定されるものではないが、２つのものを、一体的にまたは隙間に入って、接合、接続、締結、連結するかまたは関連付けることを含む。本明細書中では、「解除可能に接続（された）」なる語は、安定的に結合され、同時に互いから離れるように操作されることができるような、２つ以上のものを指す。
【００２７】
本明細書中では、「構成する」または「構成」なる語は、特定の用途または使用を視野に入れたデザイン、配置、組立てまたは形成（すること）を意味する。用例：起伏の多い地形のために構成された軍用車；システムのパラメータを設定することによってコンピュータを構成した。
【００２８】
本明細書中では、「実質的に」なる語は、何かがかなりの程度までなされていることを指しており、例えば、「実質的にカバーされている」とは、或るものが少なくとも９５％カバーされていることを意味する。
【００２９】
本明細書中では、「整合」なる語は、直線上または平行線上にある複数のものの配列または位置が持つ空間特性を指す。
【００３０】
本明細書中では、本明細書中で同じ意味で用いられる「向き」または「位置」なる語は、何かがある場所または方向の空間特性を指す。用例：「時計の針の位置」。
【先行技術文献】
【特許文献】
【００３１】
【特許文献１】米国特許第４，３４０，５６３号明細書
【特許文献２】米国特許第３，６９２，６１８号明細書
【特許文献３】米国特許第３，３３８，９９２号明細書
【特許文献４】米国特許第３，３４１，３９４号明細書
【特許文献５】米国特許第３，２７６，９４４号明細書
【特許文献６】米国特許第３，５０２，５３８号明細書
【特許文献７】米国特許第３，５０２，７６３号明細書
【特許文献８】米国特許第３，５４２，６１５号明細書
【特許文献９】カナダ特許第８０３，７１４号明細書
【特許文献１０】米国特許第３，８４９，２４１号明細書
【特許文献１１】米国特許第５，２１３，８８１号明細書
【特許文献１２】米国特許第４，９６５，１２２号明細書
【特許文献１３】米国特許第４，９８１，７４７号明細書
【特許文献１４】米国特許第５，２２６，９９２号明細書
【特許文献１５】米国特許第５，３３６，５４５号明細書
【特許文献１６】米国特許第４，７２０，４１５号明細書
【特許文献１７】米国特許第４，７８９，６９９号明細書
【特許文献１８】米国特許第４，７８１，９６６号明細書
【特許文献１９】米国特許第４，６５７，８０２号明細書
【特許文献２０】米国特許第４，６５５，７６０号明細書
【特許文献２１】米国特許第４，０４１，２０３号明細書
【特許文献２２】米国特許第４，３７４，８８８号明細書
【特許文献２３】米国特許第４，７５３，８４３号明細書
【特許文献２４】米国特許第５，４９１，７５３号明細書
【特許文献２５】米国特許第５，４０１，４４６号明細書
【特許文献２６】米国特許第５，２２６，９９２号明細書
【非特許文献】
【００３２】
【非特許文献１】NRL Report 4364, "Manufacture of Super-Fine Organic Fibers" by V.A. Wendt, E.L. Boone, and C.D. Fluharty
【非特許文献２】NRL Report 5265, "An Improved device for the Formation of Super-Fine Thermoplastic Fibers" by K.D. Lawrence, R.T. Lukas, and J.A. Young
【非特許文献３】"The Measure of Man and Woman," by Alvin R. Tilley, 2002
【発明の概要】
【発明が解決しようとする課題】
【００３３】
上記した問題を考慮すると、通常の作業行動中に着用者が動きやすいようにする低価格の使い捨て式防護衣が必要とされている。例えば、経済的な量のエラストマー材料を効果的に利用した防護カバーオールが必要とされている。
【課題を解決するための手段】
【００３４】
本発明は、従来のエラストマー材料のカバーオールに付き物である莫大なコストなしにエラストマー材料のプラス面を享受する防護衣のための独特な構成、特にカバーオールのデザインを対象にしている。本発明の使い捨て式防護衣は、本体（身頃）部分、脚部分、袖部分及び少なくとも１つのエラストマーストリップを含む。エラストマーストリップは、腰背部の一点から左脇下部に向かってかつ左脇下部から左袖部の下側に沿って延在するように構成されている。ストリップはまた、上向きに腰背部の一点から右脇下部へかつ右脇下部から右袖部の下側に沿って延在する。エラストマーストリップは、カバーオール本体の上部部分を脚部分に接合する。
【００３５】
そのようなエラストマーストリップは、縫目（シーム）のないエラストマー材料の連続ストリップであり得るか、あるいは複数のストリップであり得る。追加的に、ストリップは約５０．８ミリメートルないし１５２．４ミリメートル幅（約２ないし６インチ幅）であり得、約２５％ないし４００％の弾性伸びを有し得る。また、エラストマーストリップは、一方向伸縮性布地、多方向伸縮性布地を有するエラストマー材料、または一方向及び／または多方向伸縮性布地を有する複数のストリップの組合せから作られ得る。そのような方向伸縮性は、衣服上でエラストマーストリップの向きに沿って整合され得るか、概ね衣服の襟から股部まで延在する線と平行して整合され得るか、あるいは伸縮性布地が異なる方向に整合された複数のストリップで作られ得る。
【００３６】
様々な衣服において、エラストマーストリップは、左脇下部に向かって延出するストリップの一部分と右脇下部に向かって延出するストリップの一部分の間の角度を形成するように衣服上で方向付けされ得る。衣服が平置きの状態のとき、エラストマーストリップによって形成されるそのような角度は約８３°ないし約１５５°であり得る。そのような角度は、約９０°ないし１５０°であり得る。他の衣服では、角度は約９５°ないし１３０°であり得る。
【００３７】
本発明はまた、Ｖ字形部を形成するように背面に構成されたエラストマーストリップを含むようなバリア性布地から形成される使い捨て式防護カバーオールも対象にしている。Ｖ字形部は、腰背部の一点に位置する先端部と、先端部から右脇下部に向かって延在する第１の延在部と、先端部から左脇下部に向かって延在する第２の延在部とを含む。
【００３８】
一部のそのようなカバーオールでは、第１及び第２の延在部は、それぞれの脇下部へ、それぞれの袖部の下側に沿って延在する。一部のカバーオールでは、２つの延在部は、二者択一的に袖部の背面に沿って延在し得るか、あるいは二者択一的にそのような袖部の上縁に沿って延在し得る。そのような延在部は、袖部に沿って手首までずっと延在し得る。
【００３９】
追加的に、Ｖ字形部の２つの延在部は或る角度を形成する。その角度は、一部のカバーオールでは約８３°ないし約１５５°であり得る。角度は、二者択一的に約９０°ないし１５０°であり得、あるいは二者択一的に９５°ないし１３０°であり得る。
【図面の簡単な説明】
【００４０】
【図１】本発明に従っている例示的な防護カバーオールの正面図。
【図２】図１の例示的な防護カバーオールの背面図。
【図３】本発明に従っている例示的な防護カバーオールの背面図。
【図４】本発明に従っている例示的な使い捨て式防護カバーオールの詳細。
【図５】本発明に従っている例示的な使い捨て式防護カバーオールの詳細。
【発明を実施するための形態】
【００４１】
本発明は、衣服の背面を横断して或る角度をなして構成されたエラストマーストリップを有するような、限られた回数だけ使用するための、好適には使い捨て式の、洗濯されない防護カバーオールに関連する。そのようなカバーオールは、例えば、保健医療、家の修繕・日曜大工（ＤＩＹ）、化学、工業、公衆衛生、クリーンルーム及び他の類似の用途などの作業領域及び産業に特に関係している。エラストマーストリップによって、着用者は、上半身、腕及び肩を、前または横方向により容易に曲げることができる。エラストマーストリップのエラストマー材料は、一方向または多方向に伸びる特性を有する。エラストマーストリップ材料は、着用者の身体に対する衣服の総合的な快適性、フィット性、適合性を高める。特定の角度に伸縮性布地材料を配置することで、着用者の動作に必要な弾性及び柔軟性を与え、衣服中の緩んだ布地の量を最小にすることができ、衣服にスタイリッシュな外観を与える。フィット性を向上させ、運動の自由度を大きくし、見た目をよりスタイリッシュにしていることで、そのような衣服は、着用者のコンプライアンスを向上させることができ、そのような防護衣を着用しようというする気持ちを高めることができる。
【００４２】
図１を参照すると、本発明を具体化したカバーオール１２の正面図１０が示されている。防護カバーオール１２には、左半身パネル１４及び右半身パネル１６が含まれる。各半身パネル１４、１６は、縫目のないシート材料から形成されるのが望ましい。右半身パネル１６は、実質的に左半身パネル１４の鏡像である。防護カバーオール１２には、左右の袖部１８、２０と、左右の脚部２２、２４が含まれる。カバーオール１２の上部に首開口部２６が見えている。図１に示すように、閉じ手段２８が首開口部２６からカバーオール１２の股部に向かって延在する。
【００４３】
そのようなカバーオールの製造は、既知の自動、半自動または手作業の組み立て手順に従い得る。より良好なバリア特性のために衣服中の縫目の数を減らし、製造ステップを単純化するために、使い捨て式防護カバーオールには最も少ない実際的な数のパネル、部分または部位しか含まれないことが望ましい。しかし、本発明の使い捨て式防護カバーオールは、特定用途のためのカバーオールをあつらえるための異なる程度の強度を有し得るバリア性布地の部位、パネル、または部分を含み得ると考えられる。例えば、袖部分または他の部分（例えばカバーオールの脚部分、肩部分または背中部分）は、非常に高いレベルの強度及び靱性を有する二重層のバリア性布地を含み得る。
【００４４】
左袖部１８は左半身パネル１４の一体部分であり得る（すなわち左半身パネル１４は左袖部１８を形成するように裁断される）のが望ましい。左袖部１８は、縫目（図示せず）によって左半身パネル１４に接合され得る別の生地であり得ると考えられる。同じように、右袖部２０は右半身パネル１６の一体部分であり得る（すなわち右半身パネル１６は右袖部２０を形成するように裁断される）のが望ましい。右袖部２０は、縫目（図示せず）によって右半身パネル１６に接合され得る別の生地であり得ると考えられる。閉じ手段２８がカバーオール１２の正面１０上で左半身パネル１４を右半身パネル１６に接合する。図２に示すように、背中の垂直縫目３２は、カバーオール１２の背面３０上で半身パネル１４、１６を互いに対して接合する。
【００４５】
図１及び図２に示すカバーオール１２では、袖部１８、２０が、実質的に肩部分に平行に、本体から外向きに延出するものとして示されている。しかし、他のデザインも可能であり、例えば、図３に示すカバーオール１２には、肩部分から上向きに延出するようにデザインされた袖部１８、２０が含まれる。
【００４６】
脚部２２、２４は、袖部１８、２０の形成と似た方法で形成されるのが望ましい。左脚部２２は、左半身パネル１４の一体部分であり得る（すなわち左半身パネル１４は左脚部２２を形成するように裁断される）のが望ましい。左脚部２２は、縫目（図示せず）によって左半身パネル１４に接合され得る別の生地であり得ると考えられる。同様に、右脚部２４は、右半身パネル１６の一体部分であり得る（すなわち右半身パネル１６は右脚部２４を形成するように裁断される）のが望ましい。右脚部２４は、縫目（図示せず）によって右半身パネル１６に接合され得る別の生地であり得ると考えられる。
【００４７】
左半身パネル１４及び右半身パネル１６は、左右の半身パネル１４、１６に対応するカバーオール１２の左右の上部２３、２５並びに左右の脚部２２、２４が各々１つの材料すなわち一枚生地から作られるように製作されるのが望ましい。望ましさはそれほどでもないが、縫目（図示せず）を用いて、上部２３、２５を脚部２２、２４に接合したり、袖部１８、２０を上部２３、２５に接合したり、あるいはそれらの組合せを接合したりすることもできると考えられる。
【００４８】
図２は、図１の例示的な防護カバーオール１２の背面図３０を示す。防護カバーオール１２は、左半身パネル１４及び右半身パネル１６を含む（後ろから見て逆の位置にある）。左右の袖部１８、２０並びに左右の脚部２２、２４も逆の位置にある。
【００４９】
カバーオール１２の背面３０にはエラストマーストリップ８０も含まれ、エラストマーストリップ８０は、そのようなカバーオール１２の着用者が、腰を曲げ、手などを伸ばし、かがみ、全般的な軽快な動作を行うことをより一層可能にする。エラストマーストリップ８０は、概ね、カバーオール１２の背面３０において、カバーオール１２の腰背部９０または腰部領域から上向きにカバーオール１２の右及び左の脇下部９１、９２に向かってＶ字形状で方向付けされている。エラストマーストリップ８０は、カバーオール１２の脇下部９１、９２から袖部１８、２０の下側６６にさらに延在する。正面１０から見たとき、左右の袖部１８、２０に沿ったエラストマーストリップ８０の一部のみが見える。背面３０から見たとき、Ｖ字形部ははっきりと見えており、着用者が腕を上に上げればもっとはっきりするであろう。着用者が両腕を両脇に垂らすと、エラストマーストリップ８０は背面３０から見てＭ字形に見える。
【００５０】
図１及び図２に示すカバーオール１２の場合、エラストマーストリップ８０は、第１のエラストマーストリップ８１及び第２のエラストマーストリップ８２で構成されている。第１のエラストマーストリップ８１は、背中の縫目３２にある腰背部９０上の或る点から右半身パネル１６に沿って右脇下部９１まで、そして右手首９３に向かって右袖部２０の下側６６に延在する。同様に、第２のエラストマーストリップ８２は、背中の縫目３２にある腰背部の一点９０から左半身パネル１６に沿って左脇下部９２まで、そして左手首９４に向かって左袖部１８の下側６６に延在する。
【００５１】
エラストマーストリップ８０は、エラストマーストリップ８０が着用者の動きと一緒になって容易に伸びることができるように半身パネル１４、１６に取り付けられるのが望ましい。図１及び図２のカバーオール１２の場合、第１の弾性ストリップ８１は、上方縫目３４に沿って右上部２５の縁部に取り付けられ、下方縫目３６に沿って右脚部２４の縁部にも取り付けられる。同じように、第２の弾性ストリップ８２は、上方縫目３４に沿って左上部２３の縁部に取り付けられ、下方縫目３６に沿って左脚部２４の縁部にも取り付けられる。
【００５２】
そのような第１及び第２のエラストマーストリップ８１、８２は、上方縫目及び下方縫目３４、３６が作られる間は伸びた形態を保ちながら、カバーオール１２に取り付けられ得る。縫目３４、３６が仕上がった後、エラストマーストリップ８１、８２はその後伸びた形態から解放され、カバーオール１２と共に縮められ得る。衣服の製作中のエラストマー材料のそのような伸びは、用いられる特定のエラストマー材料の伸び及び収縮特性、製造能力及び所望のデザインによって決まることになる。
【００５３】
第１及び第２のエラストマーストリップ８１、８２は、図１及び図２に、袖部１８、２０の下側６６に沿ってカバーオール１２の手首９３、９４まで延在しているものとして示されている。エラストマーストリップ８０は、袖部１８、２０に一部分だけ延出し得ると考えられる。例えば、図３に示すカバーオール１２には、右及び左の袖部２０、１８それぞれの下側６６に右及び左の肘９５、９６と右及び左の手首９３、９４の間の或る点までしか延在していないような第１及び第２のエラストマーストリップ８１、８２が含まれる。
【００５４】
代替形態においては、エラストマーストリップは、図２及び図３に示すように袖部の下側６６の下に延在するのではなく、袖部に沿って延在し得る。図４に示すように、エラストマーストリップ８０は、上向きに腰背部９０から左右の脇下部９２、９１に向かって延在し、それから左右の袖部１８、２０の背面３０に沿って延在し得る。あるいは、図５に示すように、エラストマーストリップ８０は、上向きに腰背部９０から左右の脇下部９２、９１に向かって延在し、それから左右の袖部１８、２０の上縁６２に沿って延在し得る。
【００５５】
エラストマーストリップ８０を用いることで、さらなる柔軟性、手などの届く範囲及び全般的な動作を着用者に提供するような衣服の製作が可能になる。しかし、そのようなエラストマー材料は多くの場合に高価であり、そのようなエラストマー材料の使用は、経済的であるが使い捨てできることを目的とした防護衣において最小にされる必要がある。これを受けて、本発明は、コストを最小にしながら人間生理学を巧みに利用するために或る特定の形状で不連続なエラストマーストリップを用いる。エラストマー材料でできた全体パネルを用いる代わりに、エラストマーストリップは、少なくとも最低レベルの利用可能な伸びを提供できる大きさにされ、それにもかかわらずそのような伸びを経済的に提供できるほど小さい。そのようなバランスを念頭に置いて、エラストマーストリップの幅は約５０．８ミリメートルないし約１５２．４ミリメートル（約２インチないし約６インチ）の範囲にあるのが望ましい。エラストマーストリップは、約５０．８ミリメートルないし約１０１．６ミリメートル（約２インチないし約４インチ）の幅になるのが望ましい。
【００５６】
エラストマーストリップが約１００％ないし約３００％の範囲で伸長できる（すなわち引き伸ばされると長さが約２倍から約４倍増加する）ことも望ましい。しかし、一部の実施形態では、カバーオール１２のデザイン及びエラストマーストリップの伸縮方向の向きが、材料の利用可能な伸びの完全利用を妨げることがある。そのようなデザインでは、より低いレベルの伸びを有するエラストマー材料を利用することは、よりコスト効果が高くかつ効果的であり得る。例えば、所望の伸びのレベルは、約２５％に等しいかまたはそれ以上であり得る。約２５％ないし約３００％の伸びを有する材料は、本発明のエラストマーストリップ用として考えられる。
【００５７】
本発明のカバーオール１２のエラストマーストリップの伸縮能力を最大にするために、エラストマーストリップは、エラストマーストリップを横断するような縫目または材料がないことが望ましい。図２に示すカバーオール１２の場合、１つだけの縫目すなわち背中の垂直縫目３２がエラストマーストリップ８０を横断している。（図２のカバーオール１２において、背中の垂直縫目３２は第１のエラストマーストリップ８１を第２のエラストマーストリップ８２に実際に接合している）。背中の垂直縫目３２は図２のカバーオール１２の背面から取り除かれることができ、２つのエラストマーストリップ８１、８２を、間に縫目が介在しない単一エラストマーストリップに置き換えることも可能であると考えられる。そのような縫目なしエラストマーストリップ８０を有するカバーオールの例を、図４及び図５に示す。
【００５８】
エラストマーストリップの代替デザインも考えられる。例えば、図３に示すカバーオール１２は、本発明の概ねＶ字形状のエラストマーストリップを含む。しかし、エラストマー腰部パネル８４は、Ｖ字形部の先端部を占めている腰背部領域９０に含まれる。第１のエラストマーストリップ８１は、腰部パネル８４から右脇下部９１に向かってかつ右袖部２０の下側６６に沿って延在する。同様に、第２のエラストマーストリップ８２は、腰部パネル８４の左側から上向きに左脇下部９２に向かってかつ左袖部１８の下側６６に沿って延在する。
【００５９】
エラストマー腰部パネル８４の上縁は、背中の上方縫目３４によって両上部２３、２５の縁部に取り付けられる。エラストマー腰部パネル８４の下縁は、腰背部 縫目３６によって両脚部分２２、２４の縁部に取り付けられる。エラストマーストリップ８１、８２は、エラストマー腰部パネル８４のいずれかの側にある腰部縫目３８によって腰部パネル８４に取り付けられる。
【００６０】
図３に示すように、エラストマー腰部パネル８４は、エラストマーストリップ８１、８２の幅よりも幅が大きいことがある。追加的に、腰部パネル８４は、そのようなカバーオール１２の着用者の腰部領域とのフィット性を最大にするような輪郭または形状にされ得る。そのような腰部パネル８４は、エラストマーストリップ８０の一体部分であり得ると考えられる。そのような実施形態では、腰部パネル８４は、カバーオール１２の腰背部領域９０においてエラストマーストリップ８０の輪郭形成された部分、すなわち幅広部分であり得る。
【００６１】
本発明のエラストマーストリップ８０のＶ字形部は、そのようなエラストマーストリップのない衣服で利用可能であるよりも容易に、そのようなカバーオール１２の着用者が、手などを伸ばし、腰を曲げ、または脊椎に沿って曲げることができるように、柔軟性及び動作を向上させるように構成される。上記したように、このことは、背面の腰部領域から上向きに脇下部までかつ両袖部に沿って延在して所望のＶ字形部を形成するようなエラストマー材料を提供することによって達成される。Ｖ字形部の先端部は、概ね着用者の腰椎領域と一致することが期待されるが、腰より低くてもよく、あるいは着用者の下位胸椎と同じ高さの領域に配置されることさえある。
【００６２】
Ｖ字形部の２つの延在部は、互いに対して角度θ１で、カバーオール１２の背面３０の垂直中心（すなわち図２及び図３に示す衣服の背中の垂直縫目３２）に対して角度θ２で、先端部から延出している。角度θ２は、エラストマーＶ字形部の２つの延在部の間の全角度θ１の半分である。角度θ２が第２のエラストマーストリップ８２の背中の垂直縫目３２と背中の上方縫目３４の間の角度として図２及び図３に示されているが、当然のことながら、角度θ２はエラストマーストリップ８１、８２によって形成されるＶ字形部の２つの延在部の間の有効角度θ１の半分である。均一幅を有しないエラストマーストリップの場合、Ｖ字形部の角度θ１は、カバーオール１２の右及び左の脇下部９１、９２に向かって腰背部９０から延在するエラストマーストリップ８０の一部分の実効中心に沿って続く軸線間の角度である。
【００６３】
Ｖ字形部の角度θ１は、そのようなカバーオール１２を着用することになる一般的な範囲の人々を網羅するようにデザインされるのが望ましい。本願発明者は、米国の人口における男性及び女性の体測値分布に関するデータを利用して、エラストマーストリップ８０の必要なＶ字形部角度θ１及び関連角度θ２を推定した。非特許文献３を参照されたい。具体的には、本願発明者は、サイズ分布データを利用して米国の人口の９８％を占める（すなわち、男性の１パーセンタイル、女性の１パーセンタイル、男性の９９パーセンタイル及び女性の９９パーセンタイルを考慮する）ようにエラストマーストリップ角度をデザインした。
【００６４】
肩幅、体の厚み（胸部から背中まで）及び肩頂部幅に関するデータを利用して、胴囲が推定され得る。具体的には、人間の上半身は、楕円として推定され得る。その後、そのような推定胴囲の半分を用いて、所望のＶ字形部の２つの延在部の端部間の幅を推定することができる。追加的に、全胸椎高さ（すなわち脊椎中の１２個の胸椎に沿った測定寸法）に関するデータを用いて、Ｖ字形部の先端部から、Ｖ字形部の２つの延在部の両端部をむすぶ線分までの垂直高さを推定し得る。この高さ及び幅は、カバーオールの背面に想像上の逆三角形を形成する。全胸椎高さ及び上記のように計算した推定幅を用いて、角度θ１及びθ２を計算することができる。推定値については表１を参照のこと。
【００６５】
そのような身体データは、身体寸法だけに対する理論的な角度の計算を可能にするが、そのような防護カバーオールの必要寸法を完全には与えないことがある。着用者の服の必要寸法を与えるためには、追加のバリアンスファクタが必要である。カバーオールの着脱に必要な空間を提供するために、胸部幅推定値にあと数十ないし二百数十ミリメートル程度（数インチ）加えられる。５０．８ないし１５２．４ミリメートル（６ないし８インチ）の胴体幅推定値の増加が推定され得る。
【００６６】
同様に、衣服のデザイン選択に起因して、Ｖ字形部の先端部の実際の配置は、カバーオール上でより高いかまたはより低い位置に配置されることがある。このことは、カバーオールのデザインが、提供される様々なサイズのカバーオールに対する高さ：幅の比に必ずしも比例していないことに起因する。追加的に、または二者択一的に、先端部の配置は、必要な空間を提供されるのが望ましい動作のバランスに基づいて、より高いかまたはより低い位置に配置されることがある。例えば、より多くの手などを伸ばす動きが望まれたならば、先端部は背面上のより高い位置に配置され得、より多くの腰を曲げる動きが望まれるならば、先端部はより低い位置に配置され得る。それゆえ、理論的な身体計算に用いられた全胸椎高さよりも高いかまたは低い高さを使用することが望まれるであろう。デザイン要求に基づき、Ｖ字形部の先端部は、全胸椎高さが示したであろう高さよりも５０．８ないし２０３．２ミリメートル（６ないし８インチ）高いかまたは低い位置に配置され得ると考えられる。そのようなより大きな胸部寸法を、より高いかまたはより低い先端部と組み合わせることにより、少し異なる角度θ１及びθ２の推定値が提供される。これらの追加の推定値については表１を参照のこと。
【表１】
2010525181.tif 000003
【００６７】
表１からの推定値を用いて、角度θ２は、身体データに基づき、約４７°ないし約５８°であろう。その結果として、カバーオール１２上のエラストマーストリップのＶ字形部によって形成される角度θ１は、人体の推定値のみに基づいて、約９４°ないし約１１６°になるであろう。表１に示すように、より高いかまたはより低い位置に配置されたＶ字形部と共に追加の胸部幅が含まれるとき、角度θ２の範囲は約４２°ないし約７７°であり得、Ｖ字形部角度θ１の範囲は約８３°ないし約１５４°であり得る。
【００６８】
これらの範囲及び角度は、本発明のカバーオールに適しているであろう角度の推定である。当業者は、そのような身体サイズデータ及び妥当なデザイン上の配慮が、ここで推定した角度よりも大きいかまたは小さい角度を如何にしてもたらし得るかを知ることになるであろう。
【００６９】
本発明のカバーオール１２に用いられるエラストマー材料は、一方向伸縮性材料であり得るか、あるいは多方向伸縮性材料であり得る。一方向伸縮性を有する材料は、１つの顕著な軸線に沿って弾性的であり、かつ一般的にはそのような弾性軸線に垂直な軸線に沿って実質的に弾性的ではないような材料である。例えば、一方向伸縮性材料は、材料のマシン方向に沿って弾性的であり得、材料のクロスマシン方向に沿って実質的に非弾性的であり得る。
【００７０】
多方向伸縮性材料は、材料の２つ以上の軸線に沿って、ある程度の弾性を有することになる。例えば、多方向伸縮性材料は、材料のマシン方向及びクロスマシン方向の両方に沿って、ある程度の弾性を有し得る。多方向伸縮性材料が２つ以上の軸線に沿ってある程度の弾性を有し得るにしても、材料は、材料がそれに沿ってより高度の弾性すなわち顕著な伸縮方向を有するような軸線を、尚も有し得る。一方向伸縮性材料（または主伸縮方向を有する多方向伸縮性材料）を用いるとき、顕著な伸縮軸線は衣服の一般的な伸縮ニーズと整合されているのが望ましい。
【００７１】
一部の実施形態では、カバーオール１２は、エラストマー材料のための顕著な伸縮方向がエラストマーストリップ８０が配置される方向に沿って方向付けされるように製作され得る。図２に示すカバーオール１２の場合、そのようなエラストマーストリップ８０は、エラストマー材料のための顕著な伸縮方向が腰背部の一点９０から脇下部９１、９２に向かって概ね延在する方向と実質的に同じ方向に方向付けされることになるように、裁断され、配置されることになる。
【００７２】
あるいは、エラストマー材料を、顕著な伸縮方向が背中の縫目３２に実質的に平行であるように、裁断し、方向付けするのが望ましいことがある。
【００７３】
一部の実施形態では、複数の部位に分けられたエラストマーストリップと伸縮方向の組合せが用いられ得る。例えば、エラストマーストリップ８０は、４つの不連続な部位から作られることができ、それは図２に示すような第１及び第２のエラストマーストリップ８１、８２に類似のものであり得るが、このとき、エラストマーストリップ８１、８２の各々は２つの部分（図示せず）で作られ得る。この例では、カバーオール１２の背面に沿ったエラストマーストリップ８１、８２の一部分は背中の縫目３２と実質的に平行であり得る一方で、各袖部の下側６６上に存在する部分は脇下部から手首に向かう方向に平行であり得る。
【００７４】
一方向伸縮性材料と多方向伸縮性材料の組合せも考えられる。例えば、図３に示すカバーオール１２は、腰部パネル８４が多方向伸縮性材料であり得るが、エラストマーストリップ８１、８２が一方向伸縮性材料であり得るように製作され得る。
【００７５】
本発明のカバーオール１２は、他の追加機能も含み得る。図１では、カバーオール１２には、カバーオール１２の肩部６２に沿った首開口部２６が含まれる。そのようなカバーオール１２のための追加機能は、そのような首開口部２６にぴったりの追加の襟及び／またはフードであり得る。一部の実施形態では、図３に示すような、カバーオール１２は伸縮性のあるウエストバンド１７を含み得る。別の機能は、そのような開口部が着用者にぴったりとフィットすることを保証するために衣服の脚開口部または手首開口部に加えられた弾性カフであり得る。衣服材料の完全性を損なうことなくカバーオールにバッジを取り付けられるように、本発明のカバーオールに縁取り（パイピング）を付けることができる。そのような縁取りは、追加的に、または二者択一的に、審美的な目的のために含まれ得る。ポケットなどの他の機能も考慮される。カバーオールは、着用者がカバーオールを脱がなくてもカバーオールの内部にアクセスできるようにするための再び閉じることのできる開口部をさらに含み得る。
【００７６】
カバーオール１２の閉じ手段２８は、そのような防護衣にはよくあるように任意のタイプの留め具を含み得る。閉じ手段２８は、バリア防護のための標準的なジッパーなどの機械的閉じ具であるのが望ましい。しかし、カバーオールに必要な防護レベルに応じて、マジックテープ（登録商標）、スナップ、再び閉じることのできるテープ、または他の同様の留め具など、他の留め具を用いてもよいと考えられる。
【００７７】
本発明のカバーオール１２は、衣服の中に入るための従来の垂直開口部の代わりに、衣服の前身頃領域を横切って斜めに方向付けした開口部を、付随する留め具と共に、二者択一的に組み込むことができる。例えば、ジッパーが、肩から始まり、胴体を斜めに横切って大腿上方領域に至るまで進み得る。これにより、衣服の身頃を大きく開くことができる。着用者の首から離れて始まるような、或る角度をなすジッパーは、刺激が少ないであろう。ジッパーは、自身を覆うフラップを有し得る。フラップは、様々な留め具によって固定され得る。
【００７８】
相対的な防護レベルなどの特定のメッセージを伝えるため、またはスタイル要素としての特有の外観を提供するために、色、記号、言葉またはロゴが用いられ得る。色は、カバーオール全体の生地、カバーオールの個々の部分に、あるいは縫目、ポケットまたはすね当ての周りに沿って布地の縁取りとして、あるいは独特のパターンで、付けられ得る。ブランドまたは防護レベルを示すロゴが、カバーオール上に配置され得る。色は、メッセージを伝えるため及び外観を提供するために、閉じ手段に加えられ得る。
【００７９】
一般的に、そのようなカバーオールの製造は、既知の自動、半自動または手作業の組み立て手順に従い得る。例えば、衣服の様々な部分の取付けは、縫製または縫い合わせ、超音波接合、溶剤接着、接着剤、熱接合（サーマルボンディング）及び同様な技術を利用して達成され得る。
【００８０】
本発明に従って、特定の実施形態では、防護カバーオールに用いられる全ての材料は、それぞれの指定された防護レベルに対して工業規格に合っているバリア特性を有する。カバーオール材料は、一般的に通気性及び耐液性のあるバリア性材料である。材料の通気性は、特に高熱指数条件下で、活発な身体活動が行われ、あるいは長期間にわたって、衣服が着用される場合、そのような衣服の着用者の快適性を増加させる。様々な適切な織及び不織バリア性材料が既知であり、当分野でサージカルガウン、カバーオール、産業用防護衣などの衣服に用いられている。そのような材料は全て、本発明の範囲内にある。
【００８１】
衣服を形成するために用いられる材料は、１若しくは複数のボンディング・カーディングされたウェブ、スパンボンド繊維のウェブ、メルトブローン繊維のウェブ、スパンレース繊維のウェブ、他の不織布材料のウェブ、１若しくは複数のニット材料または織物材料、１若しくは複数のフィルム、及びそれらの組合せであり得る。材料は、ポリマーから形成され得、例えば、ポリアミド、ポリオレフィン、ポリエステル、ポリビニルアルコール、ポリウレタン、ポリ塩化ビニル、ポリフルオロカーボン、ポリスチレン、カプロラクタム、エチレンと少なくとも１つのビニルモノマーのコポリマー、エチレンとアクリル酸ｎ−ブチルのコポリマー、セルロース樹脂及びアクリル樹脂、並びにこれらの混合物及び配合物から形成され得る。材料がポリオレフィンから形成されていれば、ポリオレフィンは、ポリエチレン、ポリプロピレン、ポリブテン、エチレンコポリマー、プロピレンコポリマー及びブテンコポリマーであり得る。
【００８２】
多層の縫目なしシート材料を接合して縫目なし積層体にし、それを用いて望ましいバリア特性を有するカバーオールを形成することができる。複数の縫目なしシート材料の層を互いに結びつけかつ／またはそのような材料の層を互いの上に形成または堆積させることによって、積層体を形成することができる。例えば、材料は、２つ以上の不織ウェブの積層体であり得る。さらなる例として、材料は、少なくとも１つのスパンボンド繊維ウェブ、少なくとも１つのメルトブローン繊維のウェブ及びこれらの混合物の積層体であり得る。
【００８３】
例えば、有用な多層材料は、少なくとも１つのメルトブローン繊維（メルトブローン極細繊維を含み得る）のウェブを少なくとも１つのスパンボンド連続フィラメントウェブと接合することによって作られ得る。本発明の防護カバーオールの製造に有用な例示的な多層の縫目なし材料は、スパンボンド連続フィラメントウェブとメルトブローン繊維（メルトブローン極細繊維を含み得る）のウェブの層同士を接着することによって製作される積層不織布であり、ボンディング・カーディングされたウェブまたは他の不織布も含み得る。
【００８４】
スパンボンドウェブから成る第１の外層、メルトブローンウェブから成る中間層、スパンボンドウェブから成る第２の外層を有するような例示的な３層布地は、略語でＳＭＳと呼ばれ得る。そのような布地については、特許文献２１、特許文献２２、特許文献２３に詳細に記載されており、これらの特許は全て、本発明の譲受人であるキンバリークラーク社（Kimberly-Clark Corporation）に譲渡されている。
【００８５】
本発明の使い捨て式防護カバーオールの製造に用いることができる例示的な材料は、少なくとも１つの不織ウェブ層を少なくとも１つのフィルム層と接着することによって製作される積層布地である。一般的に、フィルム層は、約０．２５ミルないし約５．０ミルの厚さであり得る。例えば、フィルムは、
約０．５ミルないし約３．０ミルの厚さを有することになる。フィルムは、約１．０ミルないし約２．５ミルの厚さを有するのが望ましい。
【００８６】
例示的なフィルム層には、ポリマーから形成されたフィルムが含まれ、ポリマーは、ポリアミド、ポリオレフィン、ポリエステル、ポリビニルアルコール、ポリウレタン、ポリ塩化ビニル、ポリフッ化炭素、ポリスチレン、カプロラクタム、エチレンと少なくとも１つのビニルモノマーのコポリマー、エチレンとアクリル酸ｎ−ブチルのコポリマー、セルロース樹脂及びアクリル樹脂を含み得る。フィルム層がポリオレフィンでできているならば、ポリオレフィンは、ポリエチレン、ポリプロピレン、ポリブテン、エチレンコポリマー、プロピレンコポリマー、ブテンコポリマー及び上記の配合物であり得る。
【００８７】
本発明に従って、本発明のカバーオール１２の縫目なしシート材料は、約１５ｇｓｍ（すなわちグラム毎平方メートル）ないし約３００ｇｓｍの坪量を有し得る。例えば、縫目なしシート材料は、約２０ｇｓｍないし約１００ｇｓｍの坪量を有し得る。材料は、約２０ｇｓｍないし約７５ｇｓｍの坪量を有し得ることが望ましい。
【００８８】
例えば、材料は、デュポン社タイベック（登録商標）ブランドの高密度ポリエチレン材料など、様々な形のカレンダリング処理された不織布材料から作られ得る。タイベック（登録商標）でできている衣服は、危険な環境での使用または一般的な危険でない産業利用がなされている。危険な環境での使用の例には、水性の酸、塩基、塩及び殺虫剤、除草剤などの特定の液体の飛散からの防護が含まれる。衣服はまた、鉛ダスト、アスベスト、放射汚染された粒子などの有害な乾燥粒子への暴露に対する信頼できるバリアを提供する。危険でない産業利用には、工場、作業場、エンジニアリングプラント、農場及び建設現場での「汚れる仕事」のための衣服の着用を含む。
【００８９】
防護物品の静水圧耐性は、一部分において、物品が製作される特定の種類の材料によって決まることになる。カバーオールは、少なくとも約１５、１７または２０ミリバール、最大で約１８０、１８７または２００ミリバール（それらの間の範囲の組合せを全て含む）の液体静水圧耐性を有するようにデザインされ得る。より一般的には、カバーオールは、約２５または３０ないし約１１５ミリバール、好適には約４５ないし約１１０ミリバール、より好適には約５０ミリバールないし約９５ミリバールの圧力の静水圧耐性を有し得る。
【００９０】
カバーオール材料の通気度は、少なくとも約０．０５６ｍ３／ｍｉｎ（約２ｃｆｍ（立方フィート／メートル））ないし最大で約１．３１６または１．４ｍ３／ｍｉｎ（約４７または５０ｃｆｍ）（それらの間の範囲の組合せを全て含む）の範囲にあり得る。より典型的には、通気度は、約０．１４または０．２８ｍ３／ｍｉｎ（約５または１０ｃｆｍ）ないし約１．２０４または１．２６ｍ３／ｍｉｎ（約４３または４５ｃｆｍ）、好適には約０．４２、０．４７６、０．５６または０．７ｍ３／ｍｉｎ（約１５、１７、２０または２５ｃｆｍ）ないし約１．１２または１．１７６ｍ３／ｍｉｎ（約４０または４２ｃｆｍ）の範囲にあり得る。
【００９１】
カバーオールは、最大約４７００ｇ／ｍ２／２４時間の水蒸気透過率（ＭＶＴＲ）、より典型的には約２７００または３６００ＭＶＴＲないし約４５００または４６００ＭＶＴＲを有し得る。防護カバーオールは、０．３〜０５ミクロンの粒子サイズの乾燥粒子のバリア侵入に対して約９〜１００％の耐性で着用者を防護し得る。
【００９２】
カバーオールは、粉塵及び微小粒子（例えば約０．０５〜０．１０ミクロン以上の範囲のサイズ（例えば特許文献２４を参照）または液はねに対するバリアを与えるような材料から作られ得る。カバーオールの材料はまた、不織ウェブの繊維内に局所的な帯電を発生させるようにエレクトレット処理され得る（例えば特許文献２５）。例えば、これらの材料は、デラウエア州ウィルミントンにあるイー・アイ・デュポン・ドゥ・ヌムール社（E. I. DuPont de Nemous）から入手可能なＺｅｐｅｌ（登録商標）及びＺｅｌｅｃ（登録商標）などの組成物で処理され得る。
【００９３】
エラストマーストリップ８０に用い得る様々なエラストマー材料が当分野で知られている。エラストマー材料は、例えば１つの層、複数の層、積層、スパンボンド布、フィルム、メルトブローン布、弾性網、微小孔性のウェブ、ボンディング・カーディングされたウェブ、または発泡体であってエラストマーまたはポリマーの織物または不織布からなるものから構成され得る。エラストマー積層不織布ウェブには、１若しくは複数のギャザー寄せ可能な不織ウェブ、フィルムまたは発泡体に接合された不織布材料が含まれ得る。ストレッチボンディング積層体（ＳＢＬ）及びネッキングボンディング積層体（ＮＢＬ）は、エラストマー積層不織布ウェブの例である。エラストマー材料には、キャスト（流延）またはブローされたフィルム、発泡体、または不織布であってポリエチレン、ポリプロピレンまたはポリオレフィンコポリマー、及びそれらの組合せからなるものが含まれ得る。エラストマー材料には、Ｖｉｓｔａｍａｘｘ（登録商標）（テキサス州ヒューストンにあるエクソンモービル社から入手可能）、ＶＥＲＳＩＦＹ（登録商標）（ミシガン州ミッドランドにあるダウ・ケミカル社から入手可能）などの弾性ポリオレフィン、ＰＥＢＡＸ（登録商標）エラストマー（ペンシルバニア州フィラデルフィアにあるアトケム社（AtoChem）から入手可能）などのポリエーテルブロックアミド、熱可塑性ポリウレタン樹脂（例えば脂肪族ポリエーテル及び脂肪族ポリエステルの両タイプ）、ＨＹＴＲＥＬ（登録商標）エラストマーのコポリエステル（デラウエア州ウィルミントンにあるイー・アイ・デュポン・ドゥ・ヌムール社から入手可能）、ＫＲＡＴＯＮ（登録商標）エラストマー（テキサス州ヒューストンにあるシェルケミカル社（Shell Chemical Company）から入手可能）、またはＬＹＣＲＡ（登録商標）エラストマー（デラウエア州ウィルミントンにあるイー・アイ・デュポン・ドゥ・ヌムール社から入手可能）を撚糸状に加工したものなど、及びそれらの組合せが含まれ得る。エラストマーストリップ８０、８２には、機械的処理、印刷処理、加熱処理または化学処理を経てエラストマー特性を有する材料が含まれ得る。例えば、そのような材料は、開口加工、クレープ加工、ネッキングストレッチ加工、加熱活性化、エンボス加工、及びマイクロストレイン加工（micro-strain）され得、かつ、フィルム、ウェブ及び積層体の形であり得る。
【実施例】
【００９４】
試験用に本発明の防護カバーオールの一例を作製した（コードＡ）。カバーオールの材料及びデザインは、ジョージア州ロズウェルにあるキンバリークラーク・プロフェッショナル社（Kimberly-Clark Professional）からＫＬＥＥＮＧＵＡＲＤ（登録商標）Ａ３０カバーオールとして販売されているものと同じデザインであった。コードＡ及びＢの両者に対してＡ３０デザインの本体に用いた材料は、６１ｇ／ｍ２（１．８ｏｚ／ｙｄ２）のポリプロピレンＳＭＳ材料であった。Ａ３０デザインを、図１及び図２に示すようなエラストマーストリップを含むように変更した。ストリップは、７６．２ミリメートル幅（３インチ幅）であり、Ｖ字形部の角度が１３０°（カバーオールを平置きの状態で測定した）でカバーオール上に存在していた。
【００９５】
コードＡに用いられるエラストマー材料を、同様に、特許文献１２、特許文献１３、特許文献２６、特許文献１５に教示されているようなネッキングボンディング積層体になるように構成した。外表面をエラストマーフィルムで押し出しコーティングする代わりに、ポリプロピレンスパンボンド材料でできた２つのネッキングされた外表面を２つの外表面層の間のエラストマーフィルム層に熱接合してエラストマー材料を作った。スパンボンドの２つの外表面層は各々、２５．４ｇ／ｍ２（０．７５ｏｚ／ｙｄ２）の開始坪量を有していて、５０％ネッキングされて４７．５ｇ／ｍ２（１．４ｏｚ／ｙｄ２）の最終坪量が得られた。結果的に得られた材料は、約８５％の伸びを有していた。
【００９６】
エラストマー材料を、縁かがり縫いの縫目を用いて図２に図示されているような本体部分及び脚部分の縁部に接合する際に、その最大伸び付近まで引き延ばした。得られたエラストマーストリップは、カバーオールから力を除いたときに衣服の縫目に沿って約９％縮んだ（すなわち、１００ｍｍの材料が、９１ｍｍの長さまで縮んだ衣服に縫い付けられていた）。これにより、エラストマーストリップ及びカバーオールは、エラストマーストリップに沿って約１０ないし１５％伸びることができる（すなわち、１００ｍｍのエラストマーストリップが約１１０〜１１５ｍｍまで引き伸ばされたカバーオールに組み込まれる）。
【００９７】
比較のために、第２の衣服（コードＢ）を作製した。第２の衣服（コードＢ）も同様にＫＬＥＥＮＧＵＡＲＤ（登録商標）Ａ３０カバーオールに準拠していた。コードＢカバーオールを、本発明のカバーオール（コードＡ）のエラストマーストリップと同じ方法で構成されるＶ字形の挿入部分を含むように変更した。しかし、Ｖ字形の挿入部分は、コードＡで用いたエラストマー材料とは対照的に、カバーオールの本体を構成する材料と同じ材料でできていた。第２の衣服（コードＢ）を用いた意図は、第１の衣服（コードＡ）との直接比較対照としての機能を果たすことができるような現在入手可能なカバーオールに似た衣服を提供するためであった。
【００９８】
最後に、競合製品との比較として第３の衣服が試験に加えられた。第３の衣服（コードＣ）は、デラウエア州ウィルミントンにあるイー・アイ・デュポン・ドゥ・ヌムール社から入手可能なデュポンＴＭタイベック（登録商標）カバーオール（品番ＴＹ１２５Ｓ）であった。
【００９９】
３つの異なる試験法を用いて３つの衣服を試験した。各衣服を、被験者が試験用衣服を着用する前に行ったベースライン測定に対して比較した。次に、そのような差（試験コード対ベースライン）を用いて個々の試験用衣服を比較した。
【０１００】
様々な体重及び身長の２１人の被験者を、各々３つの試験コードについて試験した。表２は、被験者の体重及び身長分布を説明している。各被験者は、製造業者が勧めるような、被験者のサイズに適したカバーオールを試験した。推奨サイズの中間に属する被験者に対しては、動き易さを確保するために、より大きなサイズのカバーオールを選択した。
【表２】
2010525181.tif 000004
【０１０１】
被験者１人につき１試験日当たり１つの衣服コードのみを試験した。与えられた日に試験された実際の衣服コードは、被験者に対して無作為に選んだものであった。各衣服試験日に、各衣服に対して３つの試験プロトコール（壁リーチ、高所リーチ、生産性）全てを行った。毎日、被験者がその日に割り当てられた衣服を着用する前に、各試験に対するベースライン測定を行った。
【０１０２】
各試験日に、試験の開始前に被験者の準備を行った。各被験者は、支給されたＴシャツ及び医療衣下衣を、被験者自身のつま先が覆われかつ踵が覆われた靴及び靴下と共に着用した。試験前に、各被験者は、軽いストレッチ運動を課された。
【０１０３】
被験者ができる限り肘を真っ直ぐにして左腕の上に右腕を置くことからストレッチを開始し、力を抜く前に５秒間その位置を保持した。被験者は次に同様に右腕の上に左腕を交差させ、力を抜く前に５秒間その位置を保持した。その後、両腕を交差させて保持することを追加で２サイクル行った。被験者は次に、腰の位置で体を前に傾け、腕をできる限り遠くまで前に外向きに伸ばし、５秒間その位置を保持し、力を抜き、毎回もっと遠くに手を伸ばそうと努めて３回繰り返すように指示された。最後に、被験者は、両腕を頭の上に伸ばして腕を天井に向けてできる限り伸ばし、５秒間その位置を保持し、力を抜き、さらに２回繰り返すように指示された。
【０１０４】
被験者は次に、試験用衣服を着用する前に、ベースラインとして、３つの試験プロトコールをそれぞれ行った。ベースライン試験を行った後、被験者はそのまま試験用カバーオールを着用し、衣服については上まで完全にジッパーを締めた。試験責任者は、試験用衣服の手首カフを被験者の肌にしっかりとテープで貼った。テープで貼った位置は、被験者が腕を体の前に伸ばしたときにカフが自然に被験者の上に当たった箇所であった。その後、被験者は再び３つの試験プロトコール全てを行った。
【０１０５】
壁リーチ試験：
【０１０６】
各被験者は、両足を腰幅に開いて壁の前に立った。被験者はそこで腰の位置で体を前に曲げ、指先が壁に触れるように腕を前に伸ばし、腕は肩と同じ高さに保持した。被験者が前かがみになったときに壁に触れることができるが壁に圧力を加えるほどには近づかない程度に壁との距離を調整しながら、被験者は前または後ろに移動させられた。壁からちょうどよい距離だけ離れた位置で、被験者のつま先がある床の部分にマークが付けられた。次に被験者は１．３６ｋｇ（３ポンド）の重りが与えられ、再び両手で重りを掴みながら壁に向かって腕を伸ばした。壁に面した重りの先端から壁までの距離をベースライン測定として記録した。
【０１０７】
試験用カバーオールを着用した後、被験者は、以前に付けた床のマークのところにつま先が来るようにして再び壁の前に立たされた。次に被験者には再び１．３６ｋｇの重りが与えられ、被験者はそれを両手で握り、壁に向かって腕を伸ばし、腕を肩と同じ高さにして腰の位置で体を曲げた。被験者は、手首が強く引かれるかまたは引っ張られたら、あるいはテープが手首からとれ始めたら、それ以上は腕を伸ばさないことを求められた。それから、壁と重りの先端の間の距離を記録した。
【０１０８】
高所リーチ試験：
【０１０９】
各被験者は、前頭部が壁に触れるように、かつ両足のつま先をおおよそ腰幅に開いてつま先が壁に触れるようにして、壁にぴったりくっついて立った。被験者は、踵を床から離して上げずに、利き手を壁のできるだけ高いところまで伸ばした。そのとき最高到達位置を壁上にマークし、ベースライン測定として記録した。
【０１１０】
被験者が試験用衣服を着用した後、被験者は高所リーチ手順を繰り返した。被験者は、手首が強く引かれるかまたは引っ張られたら、あるいはテープが手首からとれ始めたら、それ以上は腕を伸ばさないことを求められた。それから、試験用カバーオールを着用しているときの到達位置からベースラインマークまでの距離を記録した。
【０１１１】
生産性試験：
【０１１２】
生産性試験は、被験者が一連の肉体作業を完了するのに必要な時間を測定した。被験者が試験用衣服を着用している間の必要時間を、試験用衣服を着用していないときに作業を完了するのに必要な（ベースライン）時間と比較した。
【０１１３】
各被験者は、つま先が棚ユニットの底部に触れた状態で棚ユニットの前に立つことによってベースラインを設定した。棚ユニットは、床よりも１．７４ｍ（６８．５インチ）上にある上段棚板と、床よりも１．３４ｍ（５２．７５インチ）上にある下段棚板とを有していた。被験者は、重りの付いた塗料缶（１．３６ｋｇのダンベルが中に入っている塗料缶）の取っ手を持ち、上段棚板の上でできる限り奥まで届くように腕を伸ばした。その状態で缶の先端がくる棚板上の位置にマークを付けた。試験中、被験者は、塗料缶を棚板上でこの線より後ろに置くことになった。
【０１１４】
６個の塗料缶を床の上にセットした。各缶には１．３６ｋｇのダンベルが入れられ、各缶にはしっかりと蓋が被せられていた。棚ユニットの底部から１．６３ｍ（６４インチ）離れたところに缶を置いた。缶の取っ手を、下に下ろした状態で、被験者の利き手と同じ缶の側に向くようにして置いた。
【０１１５】
被験者は利き手でない方の手を背中の後ろに置いた状態で試験を開始した。被験者が第１の塗料缶を持ち上げたときにタイマーをスタートさせた。被験者は、利き手を用いて、第１の塗料缶を取っ手を持って持ち上げ、それを棚ユニットまで運び、上段棚板の上に、棚板上の配置マークの後ろに置いた。被験者はその後も残りの缶を同様に１回に１缶持ち上げて棚板に置き、開始位置まで戻って各缶を取って来続けた。
【０１１６】
被験者は次に、蓋を取り外して缶の下の棚板に置き、各々を互いに隣接して下段棚板の上に置き、左から右へ動かした。被験者は次に、各缶を上段棚板から床上の開始位置まで、１回に１缶、番号付けされた順序で戻した。次に、被験者は再び６個の缶を、１回に１缶、上段棚板に戻し、各缶蓋をしっかりと適切な缶上に戻した。最後に、被験者は、蓋をした缶を床上の適切な開始位置に戻した。第１のサイクルは、床の上に６つ目の缶が置かれたときに完了する。被験者はその次に第２のサイクルのステップを繰り返した。第１のサイクルの終わりに時間を記録し、第２のサイクルの終わりにタイマーを停止させた。試験サイクルの間中、試験責任者は、被験者にペースを保つように働きかけ、一連の行為の間中、被験者を誘導するのに一役買った。
【０１１７】
第１及び第２のサイクルに対して、試験用カバーオールを着用する前に被験者が生産性試験を行うベースライン時間を記録した。被験者は後で、試験用カバーオールを着用しながら試験を繰り返した。
【０１１８】
３つの試験の結果を下表３に示す。壁リーチデータは、カバーオールを着用する前（ベースライン）の壁リーチ試験と、試験用カバーオールを着用している間の同試験の測定結果との差として報告され、その差は小さいほど望ましい。同様に、高所リーチデータは、カバーオールを着用する前（ベースライン）の高所リーチ試験と、試験用カバーオールを着用している間の同試験の測定結果との差として報告され、その差は小さいほど望ましい。最後に、生産性データが、試験用カバーオールを着用している間に作業に掛かった時間と、カバーオールなしで作業を完了するのに掛かった時間（秒）との差として報告される。生産性の差は、生産性試験の第１のサイクル及び第２のサイクルの両方に対して報告され、その差は小さいほど望ましい。
【表３】
2010525181.tif 000005
【０１１９】
表３の結果を見れば分かるように、本発明のカバーオール（コードＡ）は、どの測定結果においても、エラストマーストリップのない同一カバーオール（コードＢ）よりも方向性の観点で良好な特性を示した。本発明のカバーオールはまた、壁リーチ試験及び生産性試験の両方で競合比較カバーオール（コードＣ）よりも方向性の観点で良好な特性を示した。
【０１２０】
競合比較カバーオールは、高所リーチ試験において本発明のカバーオールよりも方向性の観点で良好な特性を示した。そのような結果は、本発明のカバーオールには存在しないが競合比較カバーオールの臀部及び胴部に存在するような、より多くの空間に起因する。
【０１２１】
そのような試験の結果は、防護カバーオールに存在する或る角度をなすエラストマーストリップが、そのような角度をなすエラストマーストリップのないカバーオールに比べて、着用者の動作能力を向上させることを示している。そのような角度をなすエラストマーストリップは、より大きなエラストマーパネルを用いることなく、多方向への伸び及び運動を許容する。さらに、或る角度をなすエラストマーストリップは、衣服上の様々な場所に配置された複数の個々の弾性パネルとは対照的に、カバーオールにおいて応力がかけられる複数の部分に同時に関与するような、伸び、曲げ及び他の動作に必要な空間を提供する。
【０１２２】
本発明について、例として、一般的にも詳細にも説明してきた。当業者は、本発明が、開示されている特定の実施形態に限定されるものではないことを理解する。以下の請求項または均等要素を含む同等のものによって画定される本発明の範囲から逸脱することなく、一般概念の変更及び変形がなされ得る。
【図１】
2010525181.tif 000006
【図２】
2010525181.tif 000007
【図３】
2010525181.tif 000008
【図４】
2010525181.tif 000009
【図５】
2010525181.tif 000010
【国際調査報告】
2010525181.tif 000011
2010525181.tif 000012